(57)【特許請求の範囲】
【請求項１】
プリンタと、
プリンタの前面に設けられ、前記プリンタから排出されるプリント物を保持するストック部と、
前記プリンタから前記ストック部へ前記プリント物を排出する排出口と、
前記ストック部の前面に、前記ストック部底面に垂直に設けられる落下防止板と、
を具備し、
前記落下防止板は、矩形状の前記ストック部前面の底辺と１辺が接する矩形形状で、長辺方向に前記排出口から排出される前記プリント物の先端短辺が前記ストック部の底面または/および背面で、前記プリント物の上面が前記落下防止板上辺で支持されて前記ストック部に堆積するのに必要な高さを有し、
前記プリント物は２Ｌ判以下であり、
前記排出口から排出される前記プリント物の排出方向の辺（縦）の長さをＡ、
前記プリント物の排出方向と垂直をなす辺（横）の長さをＢとし、
前記ストック部の背面に設けられた前記排出口の前記ストック部底面からの高さをａ、
前記ストック部前面の底辺の長さをｂ、
前記ストック部の前面から背面までの奥行きの長さをｃ、
前記落下防止板の高さをｄとするとき、
０．８Ａ＜ａ＜１．２Ａ
１．２Ｂ＜ｂ
０．４Ａ＜ｃ＜０．８Ａ
２０Ａ/ｃ＜ｄ＜４０Ａ/ｃ
を満たし、
前記落下防止板を着脱可能とし、複数種の大きさの前記プリント物を保持し、取り出し可能とする
ことを特徴とする画像出力装置。
【請求項２】
前記プリンタは、鉛直方向に複数設置され、
前記ストック部は、前記複数のプリンタに夫々対応して設けられる
ことを特徴とする請求項１に記載の画像出力装置。
【発明の詳細な説明】
【技術分野】
【０００１】
本発明は、プリント物を保持し、傷つけずに取り出すことが可能な画像出力装置に関する。
【背景技術】
【０００２】
近年、利用者が持ち込んだ記録媒体に記録されているデジタルカメラの画像データをプリントすることができる画像出力装置が実用化されている。このような画像出力装置において、大量の枚数を高速にプリントするため、または、異なるサイズやシール紙等にプリントするため、複数台のプリンタを搭載するものがある（特許文献１、特許文献２）。
【特許文献１】特開２００５−１１１８９３号公報
【特許文献２】特開２００７−１７６６４８号公報
【０００３】
このような画像出力装置では、通常、設置面積を小さくするため、プリンタは縦方向（鉛直方向）に積み上げ、各プリンタから排出されるプリント物を保持するストック部がプリンタごとに設けられる。
ストック部には、図８に示すようなプリント物落下防止用の落下防止板が設置される。
【０００４】
図８（ａ）に示す落下防止板３２２ｃの場合、プリンタから排出されてストック部に堆積されたプリント物は、凹型の落下防止板３２２ｃの上部の開口部３２５から手を入れることにより取り出される。落下防止板３２２ｃは、プリンタから排出されるプリント物がストック部から落下しないように、プリント物取出口２０９に対して十分な高さにする必要がある。
【０００５】
また、図８(ａ)とは異なる構造のプリント物取出口２０９である図８（ｂ）、図８（ｃ）は、ストック部３２１の背面から前面底部に向けて斜めに設けられた２本の受け棒３２４と、ストック部３２１前面に設けられた落下防止板３２２を有する。図８（ｃ）は、図８（ｂ）のプリント物取り出し口２０９をＸ方向から見た場合の平面図である。
【０００６】
ストック部背面上部に設けられたプリンタ排出口３２０から排出されるプリント物１２４は、受け棒３２４の上に堆積し、ストック部前面の開口部３２５から手を入れることにより取り出される。
この場合、落下防止板３２２は、受け棒３２４上に堆積するプリント物１２４が開口部３２５から落下せず、しかも開口部３２５に手を入れやすい形状にする必要があり、同図に示すように三角形状である。
三角形状の落下防止板３２２以外に、三角形の底辺部分を開口部３２５に向かって凸の曲線状にした扇形状の落下防止板３２２等が提案されている。
【発明の開示】
【発明が解決しようとする課題】
【０００７】
しかしながら、上記の図８の落下防止板３２２は、どれもＬ判等の小さいサイズのプリント物をストック部内に保持する目的で設けられたものであり、より大きなサイズのプリント物には適さないという問題がある。
すなわち、例えば２Ｌ判のプリント物を想定した場合、図８（ａ）の落下防止板３２２ｃでは開口部３２５が小さくプリント物が取り出せないという問題がある。また、図８（ｂ）に示した構造では、プリント物が受け棒３２４上に適切に保持されず、プリント物がストック部３２１内にひっかかり取出しにくくなるという問題がある。
【０００８】
本発明は、このような問題に鑑みてなされたもので、その目的とするところは、２Ｌ判等の大判のプリント物をストック部内に適切に保持し、しかも取出しやすい構造の落下防止板を有する画像出力装置を提供することである。
【課題を解決するための手段】
【０００９】
前述した目的を達成するための第１の発明は、プリンタと、プリンタの前面に設けられ、前記プリンタから排出されるプリント物を保持するストック部と、前記プリンタから前記ストック部へ前記プリント物を排出する排出口と、前記ストック部の前面に、前記ストック部底面に垂直に設けられる落下防止板と、を具備し、前記落下防止板は、矩形状の前記ストック部前面の底辺と１辺が接する矩形形状で、長辺方向に前記排出口から排出される前記プリント物の先端短辺が前記ストック部の底面または/および背面で、前記プリント物の上面が前記落下防止板上辺で支持されて前記ストック部に堆積するのに必要な高さを有し、前記プリント物は２Ｌ判以下であり、前記排出口から排出される前記プリント物の排出方向の辺（縦）の長さをＡ、前記プリント物の排出方向と垂直をなす辺（横）の長さをＢとし、前記ストック部の背面に設けられた前記排出口の前記ストック部底面からの高さをａ、前記ストック部前面の底辺の長さをｂ、前記ストック部の前面から背面までの奥行きの長さをｃ、前記落下防止板の高さをｄとするとき、
０．８Ａ＜ａ＜１．２Ａ
１．２Ｂ＜ｂ
０．４Ａ＜ｃ＜０．８Ａ
２０Ａ/ｃ＜ｄ＜４０Ａ/ｃ
を満たし、前記落下防止板を着脱可能とし、複数種の大きさの前記プリント物を保持し、取り出し可能とすることを特徴とする画像出力装置である。
【００１０】
前記プリンタは、鉛直方向に複数設置され、前記ストック部は、前記複数のプリンタに夫々対応して設けられることが望ましい。
【発明の効果】
【００１３】
本発明によれば、２Ｌ判等の大判のプリント物をストック部内に適切に保持し、しかも取出しやすい構造の落下防止板を有する画像出力装置を提供することが可能になる。
【発明を実施するための最良の形態】
【００１４】
以下、図面に基づいて本発明の好適な実施形態について詳細に説明する。
まず、図１を参照しながら、本発明の実施の形態に係る画像出力装置１０１の構成について説明する。
図１は、画像出力装置１０１の構成を示すブロック図である。
【００１５】
図１に示すように、画像出力装置１０１は、画像データ読取書込手段１１１、画像編集合成手段１１２、素材データベース１１３、プリント手段１１４、注文内容入力手段１１５、課金手段１１６等を備える。
【００１６】
画像データ読込書込手段１１１は、原稿１２１をスキャナ装置等の原稿読取装置により読み込んだり、予め画像データが記憶された入力メディア１２２から読み込むことにより、画像データを取得する。また、画像読込書込手段１１１は、画像出力装置１０１が作成した画像データを出力メディア１２３に記録することもできる。
入力メディア１２２および出力メディア１２３は、例えば、スマートメディア、コンパクトフラッシュ（登録商標）、ミニＳＤ（secure digital）カード、ＳＤメモリカード、メモリスティック、ｘＤピクチャーカード、コンパクトディスク等である。
【００１７】
尚、本実施の形態では、画像データ読込書込手段１１１として、スキャナ装置で原稿１２１を読み取る手段や、入力メディア１２２から画像データを読み取る手段のみを示しているが、被写体をデジタルカメラ等の撮像装置により撮影し、画像データを読み取る手段を備えてもよいし、いずれか１つの読取手段のみを備えるようにしてもよい。
【００１８】
画像編集合成手段１１２は、１つ以上の入力、または選択した画像に対して、落書きやスタンプのような加工、画像データの切り抜き、変倍、切り抜いた画像の他の画像への貼り付け等の画像編集を対話的に行なう対話型インタフェース手段と、画像処理プログラムで構成される。合成編集で扱う画像データとしては、素材データベース１１３に存在する素材画像データやフレーム画像等を使用する。
【００１９】
プリント手段１１４は、画像データを印刷する高解像度カラープリンタで、熱転写型またはインクジェット型等、プリンタの方式は問わない。設置するプリンタは、１台でも複数台でもよい。プリント物１２４は、デジタルカメラ画像等の写真、シールプリント、はがき等である。印刷されたプリント物１２４は、複数のプリント取出口２０９に排出される。
【００２０】
注文内容入力手段１１５は、例えば、液晶ディスプレイ等の表示手段と一体化されたタッチパネルや、キーボード、マウス、トラックボール等である。
この注文内容入力手段１１５により、出力すべき注文内容を利用者に選択入力させる。例えば、読み取った画像のサムネイル画像を表示手段に表示したうえで、プリントする画像を選択させたり、プリント枚数やプリントサイズを指定させたりする。
【００２１】
課金手段１１６は、利用者によるプリント物の注文内容に応じて課金処理を行い、利用者に入金を要求する。
【００２２】
次に、図２に沿って画像出力装置１０１の外観構成について説明する。
図２は、画像出力装置１０１の概略斜視図である。
【００２３】
図２に示すように、画像出力装置１０１には、タッチパネル付きのモニタ等であるモニタ画面２０１が配置されている。モニタ画面２０１は、操作の案内や操作の状況、読み込んだ画像データのサムネイル画像表示等を表示する表示手段としての機能を持つとともに、利用者に印刷する写真や印刷サイズ、画像処理等をタッチパネルに触れることで選択させる入力手段としての機能を持つ。
【００２４】
タッチパネル付きモニタ画面２０１の下部には、メディア挿入口２０２が設けられる。メディア投入口２０２は、各種メディア（スマートメディア、コンパクトフラッシュ（登録商標）カード（ＣＦカード）、フロッピー（登録商標）ディスク、ＰＣカード、ＣＤ−ＲＯＭ等）の挿入口であり、複数の挿入口が１箇所にまとめて配置されている。
また、画像出力装置１０１の筐体内には、上記の各記録媒体の挿入口に対応して、それぞれの媒体の読取・書込み装置の本体（図示しない）が設置されている。各挿入口には、料金の徴収が完了するまで記録媒体を取り出せないようにシャッター（図示しない）を備えてもよい。
【００２５】
画像出力装置１０１の下段部には、料金投入口（硬貨投入口２０５、紙幣挿入口２０７）、返却ボタン２０６、返却口２０８、レシート取出口２０４、プリント物取出口２０９、プリント物取出口扉２１０等がそれぞれ配置されている。
【００２６】
料金投入口（２０５、２０７）、返却ボタン２０６、返却口２０８、レシート取出口２０４は、課金手段１１６として機能する。
利用者は、硬貨投入口２０５に硬貨を投入したり、紙幣挿入口２０７に紙幣を挿入することにより料金を支払う。釣銭がある場合や、利用者が返却ボタン２０６を押した場合には返却口２０８から釣銭等が放出される。
また、料金徴収後、徴収金額や注文内容等が印刷されたレシートがレシート取出口２０４から放出される。画像出力装置１０１の筐体内には、レシート取出口２０４に対応してレシート印刷用プリンタが設けられている。
【００２７】
プリント物取出口２０９からは印刷済みのプリント物が放出される。図２では、プリント物取出口２０９が３つ装備されている（２０９−１、２０９−２、２０９−３）。通常、画像出力装置１０１の筐体内には、複数枚の画像プリントを同時に行えるよう複数のプリンタ本体（図示しない）がプリント物取出口２０９につながる位置に設置されている。図２の場合、３台のプリンタに対応して３つのプリント物取出口（２０９−１、２０９−２、２０９−３）を備えている。
【００２８】
プリント物取出口２０９の外側には、プリント物取出口２０９を覆うようにプリント物取出口扉２１０が設けられ、プリント物１２４の落下防止、プリント中のプリント物１２４の保護の役目を果たす。
【００２９】
利用者は、タッチパネル付きモニタ画面２０１に設けられたタッチパネルにより画像の選択やプリントの実行を指示し、指示に従ってプリンタ本体によって印刷され、プリント物取出口２０９から放出されるプリント物１２４を受け取る。
【００３０】
また、画像出力装置１０１の筐体内には、図示しないが、画像出力装置１０１の各構成部分を制御するための制御部を含むパソコンや、電圧の変換を行う電源ボックス、停電時に制御部のＣＰＵやハードディスク等の破損を防ぐ無停電電源装置等が設けられる。
【００３１】
次に、図３を参照しながら、画像出力装置１０１のハードウエア構成について説明する。
画像出力装置１０１は、制御部３０１、記憶部３０２、入出力部３０３（ＣＤ−ＲＯＭドライブ装置、キーボード、マウス等）、各種メディア読込書込部３０４、シャッター３０５、モニタ（タッチパネル付き）３０６、コインメック３０７、ビルバリ３０８、レシートジャーナル処理部３０９、プリンタ３１０等がバス３１１を介して接続される。
【００３２】
制御部３０１は、プログラムの実行を行うＣＰＵ（central processing
unit）と、プログラム命令あるいはデータ等を格納するためのＲＡＭ(random access memory)、ＲＯＭ(read only memory)等で構成される。制御部３０１は、記憶部３０２等に格納されたプログラムに従って、バス３１１を介して接続された各装置を制御する。
【００３３】
記憶部３０２には、各構成部分を制御するプログラム、例えば、各記録メディアに対応する読込書込プログラム、シャッターの開閉制御プログラム、課金処理プログラム、画像編集合成プログラム、注文内容入力処理プログラム、プリンタ制御用プログラム、レシート印刷処理プログラム、保守プログラム等のプログラムや、画像データ、各種制御データ等が格納されている。
【００３４】
これらのプログラム・コードは、制御部３０１により必要に応じて読み出され、ＲＡＭに移され、ＣＰＵに読み出されて各種機能として実行される。
【００３５】
入出力部３０３（ＣＤ−ＲＯＭドライブ装置、キーボード、マウス等）は、制御部３０１のＲＯＭや記憶部３０２に格納されているプログラムや情報の更新や、画像出力装置１０１の動作等の設定に用いられる。画像出力装置１０１を管理モードに切り替えて、入出力部３０３に更新用のＣＤ−ＲＯＭを挿入し、データやプログラムの書き換えを行なったり、設定データの入力を行なう。
【００３６】
各種メディア読込書込部３０４は、画像データ読込書込手段１１１に相当する。シャッター３０５は、メディア挿入口２０２に設けられ、記録メディア挿入口を開閉し、読取処理中あるいは課金処理が完了するまで記録メディアを取り出せないようにする。
【００３７】
モニタ３０６に表示された操作案内に従って、利用者はモニタ３０６に設置されたタッチパネルに触れることにより、画像入力時の画像選択や、プリント指示、プリント物出力までの一連の操作を行える。
【００３８】
コインメック３０７、ビルバリ３０８、レシートジャーナル処理部３０９は、課金手段１１６に相当し、硬貨投入、紙幣挿入、レシートの発行を行なう。
プリンタ３１０はプリンタ手段１１４に相当し、画像のプリント処理を行なう。
【００３９】
次に、プリント物取出口２０９付近の構成を更に詳しく説明する。
図４は、プリント物取出口２０９付近を画像出力装置１０１側面方向から見た概略構成図である。
【００４０】
図４に示すように、画像出力装置１０１には３台のプリンタ３１０−１、３１０−２、３１０−３が縦方向（鉛直方向）に設置される。ここでプリンタの台数は３台に限ることはない。また、設置方向は鉛直方向に限ることなく、例えば水平方向に設置してもよい。
【００４１】
各プリンタ３１０−１、３１０−２、３１０−３は、それぞれプリンタ排出口３２０−１、３２０−２、３２０−３を有する。また、各プリンタ３１０−１、３１０−２、３１０−３の前面側にはプリンタ排出口３２０−１、３２０−２、３２０−３に接してストック部３２１−１、３２１−２、３２１−３が設けられ、各プリンタ排出口３２０−１、３２０−２、３２０−３から排出されるプリント物１２４をためる役割を果たす。プリンタ排出口３２０−１、３２０−２、３２０−３は、子供等のいたずらを防止するとともに、排出されるプリント物１２４が自重でストック部３２１−１、３２１−２、３２１−３に落ちるよう、ストック部３２１−１、３２１−２、３２１−３内部が見えにくく、かつ、高い位置に設けることが望ましい。
【００４２】
ストック部３２１−１、３２１−２、３２１−３には、ストック部３２１内部にたまるプリント物１２４が落下しないようにするために落下防止板２１１−１、２１１−２、２１１−３が設けられる。
また、３つのプリント物取出口２０９−１、２０９−２、２０９−３全体を覆うようにプリント物取出口扉２１０が設けられる。
【００４３】
利用者は、プリンタ３１０によるプリント処理が完了すると、プリント物取出口２１０を開け、ストック部３２１の落下防止板２１１の上側の開口部から手を挿入してたまっているプリント物１２４を取り出す。
【００４４】
次に、本実施の形態のプリント物取出口２０９の構造について、図５〜図７に沿って説明する。
図５は、本実施の形態のプリント物取出口２０９の構造とプリント物１２４の保持方法を説明する図である。
【００４５】
図５に示すように、プリンタ３１０でプリントされたプリント物１２４は、プリンタ排出口３２０から排出される。
プリンタ３１０にはプリント処理を行うロール状の印画紙がセットされており、これにロール状の各色のインクリボンのインクを溶融あるいは昇華等により付着させてプリントする。全色のプリント処理が完了すると、プリンタ排出口３２０から排出されている部分がプリンタ３１０のプリンタ排出口３２０付近に設けられた切断手段により切断され、プリント物１２４がストック部３２１内に自重で図５の矢印方向に落ちる。
【００４６】
このとき、プリント物１２４は、印画紙がロール状をしているために湾曲し、プリント排出口３２０から排出された先端部がストック部３２１の背面方向に向かうように進んで落下し、図５に示すようにストック部３２１内に保持される。
落下防止板２１１は、その上部でプリント物１２４の湾曲した外面を支持する。
【００４７】
よって、本実施の形態の落下防止板２１１は、湾曲したプリント物１２４が複数枚堆積した際に複数枚のプリント物を支持でき、かつ、プリント物１２４がストック部３２１から落下することがなく、かつ、プリント物取出口扉２１０が閉まっている場合にプリント物１２４と扉２１０が接触しない十分な高さに設ける必要がある。
また、プリント物取出口２０９に手を挿入してプリント物１２４を取り出しやすいようにするためには、落下防止板２１１の高さは十分低い必要がある。
以上のように、上記の２つの条件を満たすように落下防止板２１１の高さを設計する必要がある。
【００４８】
図６および図７は、本実施の形態の落下防止板２１１の高さ設定を説明する図である。
図６（ａ）は、プリント取出し口２０９の正面図である。ここで、プリント取出し口２０９の幅をｂ（ｍｍ）とする。
また、図６（ｂ）は、同図(ａ)のプリント取りだし口２０９をｘ方向から見た図である。
ここで、ストック部３２１の奥行きをｃ（ｍｍ）、プリンタ排出口３２０までの高さをａ（ｍｍ）、落下防止板２１１の高さをｄ（ｍｍ）とする。
【００４９】
さらに、図６（ｃ）に示すように、プリント物１２４の大きさについて、排出方向の辺の長さをＡ（ｍｍ）、排出方向に垂直な辺の長さをＢ（ｍｍ）とする。
本実施の形態の画像出力装置１０１では、２Ｌサイズのプリント物１２４は、プリンタ排出口３２０から排出される際、長辺方向に排出され、Ｌサイズのプリント物１２４の場合は、短辺方向に排出される。
例えば、図６（ｄ）に示すように、２Ｌサイズのプリント物１２４は、Ａ＝１７８ｍｍ、Ｂ＝１２７ｍｍであり、Ｌサイズのプリント物１２４の場合は、Ａ＝８９ｍｍ、Ｂ＝１２７ｍｍである。
すなわち、２Ｌサイズのプリント物１２４の寸法はＬサイズのプリント物１２４の２倍の大きさである。
【００５０】
図７（ａ）の式１）〜式４）は、プリント物１２４の寸法とストック部３２１およびプリント物取出し口２０９、落下防止板２１１の寸法の関係を示す図である。
例えば、プリント物排出口３２０までの高さａ（ｍｍ）は、図５に示したように、プリント物１２４が湾曲しながら自重で落下する際に必要な高さであり、プリント物１２４の排出方向の辺の長さＡ（ｍｍ）と関連する。
また、プリント物取出し口２０９の幅ｂ（ｍｍ）は、プリント物１２４の排出方向に垂直な辺の長さＢ（ｍｍ）と関連する。
【００５１】
さらに、ストック部３２１の奥行きｃ（ｍｍ）は、プリント物１２４が自重で落下し、湾曲して保持されるのに必要な長さであり、プリント物１２４の排出方向の辺の長さＡ（ｍｍ）と関連する。
また、落下防止板２１１の高さｄ（ｍｍ）は、プリント物１２４がストック部３２１から落ちることなく、また、取り出しやすい寸法にする必要があり、その寸法は、プリント物１２４の排出方向の辺の長さＡ（ｍｍ）とストック部３２１の奥行きｃ（ｍｍ）に関連する。
【００５２】
図７（ｂ）に示すように、プリント物１２４が２Ｌサイズの場合、落下防止板２１１の高さｄ（ｍｍ）は奥行きｃの値によって望ましい値が変わる。例えば、ｃ＝７１．２ｍｍのとき、図７（ａ）の式４）より、５０ｍｍ＜ｄ＜１００ｍｍが望ましいことが分かる。また、例えば、ｃ＝１４２．４ｍｍのとき、図７（ａ）の式４）より、２５ｍｍ＜ｄ＜５０ｍｍが望ましいことが分かる。尚、ａの値は、プリント物１２４が２Ｌサイズの場合、Ａ＝１７８ｍｍであることから、図７（ａ）の式１）より、１４２．４ｍｍ＜ａ＜２１３．６ｍｍが望ましい。また、ｂの値は、プリント物１２４が２Ｌサイズの場合、Ｂ＝１２７ｍｍであることから、図７（ａ）の式２）より、ｂ＞１５２．４ｍｍが望ましい。
また、図７（ｃ）に示すように、プリント物１２４がＬサイズの場合、落下防止板２１１の高さｄ（ｍｍ）の値は、例えば、ｃ＝３５．６ｍｍのとき、図７（ａ）の式４）より、５０ｍｍ＜ｄ＜１００ｍｍが望ましいことが分かる。また、例えば、ｃ＝７１．２ｍｍのとき、図７（ａ）の式４）より、２５ｍｍ＜ｄ＜５０ｍｍが望ましいことが分かる。尚、ａの値は、プリント物１２４がＬサイズの場合、Ａ＝８９ｍｍであることから、図７（ａ）の式１）より、７１．２ｍｍ＜ａ＜１０６．８ｍｍが望ましい。また、ｂの値は、プリント物１２４がＬサイズの場合、Ｂ＝１２７ｍｍであることから、図７（ａ）の式２）より、ｂ＞１５２．４ｍｍが望ましい。
【００５３】
図７（ｄ）は、実際に落下防止板２１１の高さｄ（ｍｍ）を変えて実験した場合の結果である。
２Ｌサイズのプリント物１２４についてｃ＝９０ｍｍの場合、ｄ＝５０ｍｍでプリント物１２４は落ちず、取りやすいことが分かった。すなわち、ｄ＝３０ｍｍでは落下防止板２１１は低すぎてプリント物１２４が落ちてしまい、一方、ｄ＝８５ｍｍではプリント物１２４が取りにくい。
一方、Ｌサイズのプリント物１２４についてｃ＝６０ｍｍの場合、ｄ＝４０ｍｍが好ましいことが分かった。すなわち、ｄ＝２０ｍｍでは低すぎてプリント物１２４が落ちてしまい、一方、ｄ＝７５ｍｍではプリント物１２４がとりにくい。
【００５４】
本実験では、落下防止版２１１の高さｄ（ｍｍ）は、例えば、２Ｌサイズのプリント物１２４についてｃ＝９０ｍｍの場合には５０ｍｍ、Ｌサイズのプリント物１２４についてｃ＝６０ｍｍの場合には４０ｍｍとすると望ましいことが分かった。
【００５５】
図４に示したように、複数のプリンタ３１０−１、３１０−２、３１０−３を画像出力装置１０１に設ける場合、すべてのプリンタ３１０が２Ｌ判のプリント物１２４をプリントする場合には本実施の形態の落下防止板２１１をすべてのプリント物取出口２０９−１、２０９−２、２０９−３に設ければよい。
また、複数のプリンタ３１０−１、３１０−２、３１０−３で異なるサイズのプリント物１２４をプリントさせる場合には、プリントサイズに応じて、落下防止板２１１を着脱可能にし、本実施の形態の落下防止板２１１を取り付けたり、図８（ａ）、（ｂ）およびを落下防止板３２２ｃ、３２２等を各プリント物取出口２０９−１、２０９−２、２０９−３に設置するようにしてもよい。
【００５６】
尚、本発明は、前述した実施の形態に限定されるものではなく、種々の改変が可能であり、それらも、本発明の技術範囲に含まれる。
【図面の簡単な説明】
【００５７】
【図１】画像出力装置１０１の構成を示すブロック図
【図２】画像出力装置１０１の概略斜視図
【図３】画像出力装置１０１のハードウエア構成図
【図４】プリント物取出口２０９付近を画像出力装置１０１側面方向から見た概略構成図
【図５】プリント物取出口２０９およびストック部３２１の構造およびプリント物１２４の保持方法を説明する図
【図６】プリント物取出口２０９およびストック部３２１の寸法設定を説明する図
【図７】プリント物取出口２０９およびストック部３２１の寸法設定を説明する図
【図８】従来のプリント物取出口２０９を説明する図
【符号の説明】
【００５８】
１０１………画像出力装置
１２４………プリント物
２０９………プリント物取出口
２１０………プリント物取出口扉
２１１………落下防止板
３１０………プリンタ
３２０………プリンタ排出口
３２１………ストック部
【図１】
0005061910.tif 000002
【図２】
0005061910.tif 000003
【図３】
0005061910.tif 000004
【図４】
0005061910.tif 000005
【図５】
0005061910.tif 000006
【図６】
0005061910.tif 000007
【図７】
0005061910.tif 000008
【図８】
0005061910.tif 000009